(57)【要約】【課題】  取外しが容易で、コストが安く、乗物の組立て時の設置が容易であるように、トランク蓋のラッチ解放ハンドルを取外し可能に保持する。【解決手段】  ホルダ１６は、好ましくは溶接によって、一方の端部がトランク蓋の解放用ケーブルジャケット１４に取り付けられている。ホルダ１６は、ケーブルプルハンドル２０が間で締まって格納される、互いに間隔を置いて配置された一対の変形可能なラグすなわち突起２８、３０を有している。ホルダ１６は、一体に形成されたクリップまたは差込み押込み継手によってトランク部に固定され、したがって、ハンドル２０は騒音を防止するように固定される。【選択図】図１
2004257233.tif 000002
【特許請求の範囲】
【請求項１】
乗物のトランク蓋のラッチ解放ハンドル（２０）を取外し可能に固定する方法であって、
前記ハンドルを解放用ケーブル（１２）に取り付けることと、
弾性変形部（２８、３０）と取付け部（４４、４６、８０）とを有するホルダ（１６）を形成し、前記弾性変形部を前記ハンドルの対応する部分に取外し可能に噛み合わせることと、
前記ホルダを前記解放用ケーブルを覆うジャケット（１４）に接合することと、
前記取付け部を前記乗物のトランク構造部に取り付けることとを含む方法。
【請求項２】
前記ホルダを前記ケーブルジャケットに接合する前記のステップは溶接を含む、請求項１に記載の方法。
【請求項３】
前記の溶接ステップは、超音波溶接かスピン溶接のいずれか一つである、請求項２に記載の方法。
【請求項４】
前記弾性変形部を噛み合わせる前記のステップはスナップロックを含む、請求項１に記載の方法。
【請求項５】
ホルダを形成する前記のステップは、互いに間隔をおいて概ね平行に配置された少なくとも一対のラグ（２８、３０）を形成することを含む、請求項１に記載の方法。
【請求項６】
ホルダを形成する前記のステップは、互いに間隔をおいて概ね平行に配置された少なくとも一対のラグを形成し、該両ラグ上に爪面（３２、３４）を形成することを含む、請求項１に記載の方法。
【請求項７】
ホルダを形成する前記のステップは、互いに間隔をおいて概ね平行に配置された複数の対のラグ（２８、３０）を形成することを含む、請求項１に記載の方法。
【請求項８】
前記ホルダを接合する前記のステップは、前記ケーブルジャケットを取り囲むことを含む、請求項１に記載の方法。
【請求項９】
前記取付け部を取り付ける前記のステップは、前記取付け部を開口に挿入することを含む、請求項１に記載の方法。
【請求項１０】
前記取付け部を形成する前記のステップは、差込み取付け用のバーブ型突起（８０）を形成することを含む、請求項１に記載の方法。
【請求項１１】
前記取付け部を形成する前記のステップは、一対の変形可能なタブ（４４、４６）を形成することを含む、請求項１に記載の方法。
【請求項１２】
前記取付け部を前記の乗物のトランクに取り付ける前記のステップは、前記ホルダをパネルの縁部上にクリップ止めすることを含む、請求項１に記載の方法。
【請求項１３】
前記取付け部を前記の乗物のトランクに取り付ける前記のステップは、差込み押込み型の係合を含む、請求項１に記載の方法。
【請求項１４】
前記の接合ステップは接着結合を含む、請求項１に記載の方法。
【請求項１５】
前記の接合ステップは差込み押込み型の係合を含む、請求項１に記載の方法。
【請求項１６】
前記の接合ステップは挿入成型を含む、請求項１に記載の方法。
【請求項１７】
解放用ケーブル組立体とホルダとの組合せであって、
ジャケット（１４）に収納され、一方の端部が前記ジャケットの外へ延びているテンションケーブル（１２）と、
前記ケーブルの前記一方の端部に取り付けられたハンドル（２０）と、
前記ジャケットに接合されている部分（１８）と、前記ハンドルを取外し可能に受け入れる別の部分（２８、３０）とを有するホルダ（１６）と、
前記ホルダが、該ホルダに伝わる前記ケーブルの張力に抗して構造物に取り付けられるように、前記ホルダと一体に形成された取付け部（４４、４６、８０）とを有する、解放用ケーブル組立体とホルダの組合せ。
【請求項１８】
前記取付け部は、差込み取付け用のバーブ型突起（８０）を有する、請求項１７に記載の、解放用ケーブル組立体とホルダの組合せ。
【請求項１９】
前記取付け部は、クリップオン取付け用の、前記ホルダから延びている一対の変形可能なタブ（４４、４６）を含む、請求項１７に記載の解放用ケーブル組立体とホルダの組合せ。
【請求項２０】
前記ホルダは、前記ジャケットを取り囲む部分（１８）を有する、請求項１７に記載の解放用ケーブル組立体とホルダの組合せ。
【請求項２１】
前記ジャケットに接合された前記のホルダ部は、前記ジャケットに溶接で固定されている、請求項１７に記載の解放用ケーブル組立体とホルダの組合せ。
【請求項２２】
前記ジャケットに接合された前記のホルダ部は、前記ジャケットに挿入成型されている、請求項１７に記載の解放用ケーブル組立体とホルダの組合せ。
【発明の詳細な説明】
【技術分野】
【０００１】
本発明は、トランク蓋のラッチ解放機構を取外し可能に固定する方法、およびその組立体に関する。
【背景技術】
【０００２】
現代の乗用車には、トランク要素の内側から作動されることのできる、トランク蓋用またはブートカバー用の手動解放機構を設ける必要がある。通常、このような内側のトランク蓋ラッチ解放機構は、反対側の端部が蓋ラッチ解放機構に取り付けられたプルケーブルの一方の端部に取り付けられた、通常ループ形状またはＴ字形状のハンドルを用いる。ハンドルまたはループは、通常、車室内に人工の照明がないときにも車室内から容易に見つけることを可能にする、発光材料のコーティングまたは層が施されている。
【０００３】
内側のトランク蓋ラッチ解放機構の公知の構成は、ジャケット内に滑り可能に収納され、一方の端部がラッチ機構に連結され、離れた方の端部が乗物のトランク室部に固定されたテンションケーブルまたはプルケーブルを含み、かつプルケーブルに取り付けられたハンドルを有している。このような構成では、解放ハンドルは可とう性のプルケーブルの端部で垂れ下がるか、端部で勝手に動き回るままとなり、ハンドルが乗物の構造にぶつかって望ましくない騒音が発生する。ハンドルを、ユーザに必要とされるまで取外し可能に保持できるように、ループ状の織物をハンドルおよび取付け構造体に接着して取り付けることによって、この問題を解決することが試みられている。
【発明の開示】
【発明が解決しようとする課題】
【０００４】
しかし、この構成は、トランク車室が内側トリムパネルで仕上げられていない乗物に設置するのが困難であることが分かっている。したがって、ユーザにとって取外しが容易で、しかもコストが安く、乗物の組立て時の設置が容易であるように、トランク蓋のラッチ解放ハンドルを取外し可能に保持する方法を提供することが望まれてきた。
【課題を解決するための手段】
【０００５】
本発明は、乗物使用時にトランク蓋の内側解放ラッチハンドルから騒音を発生させない技術を提供し、かつ、解放用ケーブルジャケットの端部に接合されたホルダを提供する。ホルダは、解放ハンドルを取外し可能にホルダに摩擦力で固定し、かつ、トランク蓋のラッチを解放するために解放用ケーブルを引くのが望ましいときに、解放ハンドルがユーザによって容易に取り外せるように、表面に爪面が形成された複数の変形可能な部分を有している。
【０００６】
ホルダは、好ましくはスピン溶接(spin welding)や音波溶接(sonic welding)などの溶接によって、解放ラッチ機構から遠い方のケーブルジャケットの端部に接合されているが、あるいは、挿入成型(insert molding)またはバーブ型(barbed type)のひとつのような差込み押込み継手(bayonet push-in connection)によって接合することもできる。
【０００７】
本発明はこのように、乗物の運転中の騒音を防止するように、しかしラッチ解放用ケーブルを引くのが望ましいときにはハンドルを容易に取外しできるように摩擦によって噛み合わされたハンドルを格納する、トランク蓋の内側ラッチ解放ハンドル用の、単純で、低コストで、設置の容易なホルダを提供する。
【発明を実施するための最良の形態】
【０００８】
図１から６を参照すると、組立体は全体が１０で示されており、ジャケット１４に滑り可能に収納され、遠い方の端部（図示せず）でトランク蓋のラッチ機構（図示せず）に連結されるようになっている解放用ケーブル１２を含んでいる。ケーブル１２の反対側の端部すなわち近い方の端部は、図示されているように、全体が１６で示されているホルダの一方の端部に形成されたケーブルジャケット取付け部１８に覆われて、ホルダ１６に接合されている。ハンドル２０には、端部にケーブルアンカーすなわちフェルール２４がスエージ加工されたケーブル１２の端部が収められる溝２２が形成されており、フェルール２４は、ユーザがハンドルを引いてケーブルに張力がかけられたときにフェルールが位置合わせされるショルダ２５を有する大きなくぼみに収められる。
【０００９】
ホルダ１６は、ケーブルジャケット取付け部１８から延びているベース部２６であって、ベース部２６から上向きに延び、好ましくはカム状に加工された爪面３２、３４が各々表面に形成され、概ね平行に互いに間隔を置いて配置された一対のタブすなわちスタンション２８、３０を遠い方の端部に有するベース部２６を有している。互いに間隔を置いて概ね平行に配置された直立する第２の一対のラグ３６、３８が、端部１８とラグ２８、３０との中間に設けられており、ラグ２８、３０と概ね同じ方向に延びるように配置され、ハンドルがホルダ１６上に配置可能なように間隔を置いて配置されている。
【００１０】
取付け部１８から遠い方のベース１６の端部は、参照番号４０、４２によって示されているように、ベース１６に直角に、かつラグ２８、３０に対して全体的に離隔し平行な関係に形成されており、これらの端部４０、４２にはそれぞれ、フィンガーすなわち変形可能なタブ４４、４６が形成され、端部４０、４２と直角に、かつベース１６と平行になるような方向に延びている。突起すなわちラグ４４、４６は、ベース１６がトランク室の内側のパネル形成部の縁部上にクリップ止めされるように、弾性変形可能に形成されている。
【００１１】
動作時には、ハンドル２０は、図１に示されている位置から、図２に示されているように、ハンドルの狭あい部４８がカム状に係合して爪面３２、３４と接触させられ、タブ２８、３０を外側に変形させ、ラグ２８、３０が爪面３２、３４によって変形のない位置まで戻って、狭あい部４８が爪面３２、３４の先で締まるように動かされる。ハンドル２０は、このようにして、ラグ２８、３０の間に保持され、さらにタブすなわちスタンション３６、３８によって所定の位置に案内される。ハンドルをホルダから取外すには、ユーザは、狭あい部４８を爪３２、３４のカム部下面に接触させて、タブ２８、３０を広げるように、ハンドル２０を外側に引くだけでよい。
【００１２】
図７を参照すると、本発明の他の実施形態が全体として５０で示されている。本実施形態は、全体が５２で示されているホルダであって、ベース部５４の一方の端部に形成されケーブルジャケット５８を内部に収納するケーブルジャケット受入れ部５６を持ち、溶接や接着剤やバーブ型差込み継手等の適切な手段によって接合され保持されているベース部５４を有するホルダ５２を有している。プルケーブル６０は、ケーブルジャケットから延びており、図１の実施形態と同様の方法でハンドル６２の端部に固定されている。
【００１３】
ホルダ５２は、ホルダ５２から上向きに概ね直角に延び、互いに間隔を置いて平行に配置された一対の案内ラグ６４、６６を有している。案内ラグ６４、６６は、ハンドルをホルダ上に配置できるように、ハンドル６２の互いに向かい合う側に位置するように配置されかつ離隔されている。ケーブル受入れ部５６の反対側のベース５４の端部は、下向きに延びる一対の位置合わせ突起６８、７０と、ハンドル６２の狭あい部すなわちネック７６をさらに案内する、上向きに延びる一対のスタンションすなわちポスト７２、７４とを有している。ホルダベース５４は、端部のスタンション７２、７４と案内ラグ６４、６６との中間に互いに間隔を置いて平行に配置され、一方が図７に参照番号７８によって示されている、直立し互いに離れた一対のラグすなわちタブをさらに有している。７８のようなこれらのタブは、カム状に加工された爪面を含み、図７に図示のごとくハンドルのネック７６と摩擦力で噛み合ってネック７６をホルダ内の格納位置に同様に保持するように、図１の実施形態のタブ２８、３０と同様に機能することが理解されよう。
【００１４】
ベース５４の底部は、下向きに延びる位置合わせタブすなわち突起６８、７０に加えて、突起６８、７０がパネルの縁部に接触して置かれ、または突起６８、７０がトランク室内に形成され対応する位置に設けられた開口またはスロットに挿入された状態で、トランク室の取付け穴に挿入されるようになっている、バーブ型差込み挿入式の固定用突起８０をさらに有している。位置合わせタブ６８、７０およびバーブ型コネクタ８０が図１の実施形態の取付けラグ４４、４６の機能に代わるものであることが理解されよう。
【００１５】
このように、本発明は、ハンドルを格納し、ハンドルが通常の乗物の運転時に騒音を発生するのを防止し、しかもトランク室の内側からトランク蓋のラッチを解放する必要があるときに操作のために容易に取外しができる、トランクラッチ解放用ケーブルハンドル用の、低コストで取付けおよび設置が簡単なホルダを提供する。
【図面の簡単な説明】
【００１６】
【図１】解放ハンドルが解放位置にあるときの、ケーブルに取り付けられた解放ハンドルとケーブルジャケットの端部に接合されたホルダとを示す、本発明の組立体の第１の実施形態の斜視図である。
【図２】ハンドルがホルダ内の格納位置に摩擦によって噛み合わされたときの、図１の実施形態の図である。
【図３】ハンドルがホルダ内の格納位置にあるときの、組立体の反対側の端部から見た図である。
【図４】図１の実施形態のホルダの平面図である。
【図５】図４のホルダの正面図である。
【図６】図４のホルダの底面図である。
【図７】ハンドルが格納位置にあるときの、本発明の他の実施形態の斜視図である。
【符号の説明】
【００１７】
１０  組立体
１２  解放用ケーブル
１４  ジャケット
１６  ホルダ
１８  ケーブルジャケット取付け部
２０  ハンドル
２２  溝
２４  フェルール
２５  ショルダ
２６  ベース部
２８、３０  ラグ
３２、３４  爪面
３６、３８  スタンション
４０、４２  端部
４４、４６  タブ
４８  狭あい部
５２  ホルダ
５４  ベース部
５６  ケーブルジャケット受入れ部
５８  ケーブルジャケット
６０  プルケーブル
６２  ハンドル
６４、６６  案内ラグ
７２、７４  ポスト
７６  ネック
７８  ラグ
８０  バーブ型コネクタ
【図１】
2004257233.tif 000003
【図２】
2004257233.tif 000004
【図３】
2004257233.tif 000005
【図４】
2004257233.tif 000006
【図５】
2004257233.tif 000007
【図６】
2004257233.tif 000008
【図７】
2004257233.tif 000009